(57)【特許請求の範囲】
【請求項１】
底面を共有する錐体状の上側部と錐体状の下側部とを備え、前記上側部の側面及び前記下側部の側面にそれぞれ複数のファセットが形成され、前記上側部の頂点側に前記底面と平行な天面が形成された宝石を保持する宝石保持具であって、
前記宝石の前記下側部の頂点部を支持する台座部と、
前記上側部の前記天面に当接する上側爪部と、
前記下側部の前記ファセットに当接する下側爪部と、
を有し、
前記台座部、前記上側爪部及び前記下側爪部が一体に形成され、
前記上側爪部と前記下側爪部とをつなぐ部分が前記上側部の前記ファセットから離隔する形状に形成され、
前記上側爪部は、前記天面の中央部から縁部へ向かって線状若しくは帯状に延びた領域において前記天面と当接し、前記天面との当接部分に近いほど前記天面と平行な方向の厚みが薄くなる刃状の形状を有する、
宝石保持具。
【請求項２】
前記上側爪部と前記天面とが当接する前記領域は、前記天面の縁部には及ばない前記天面の面内に含まれる、
請求項１に記載の宝石保持具。
【請求項３】
前記上側爪部が前記上側部の前記天面に当接する部分と前記下側爪部が前記下側部の側面に当接する部分との間のつなぎ部分は、前記上側部の側面を避けるようにしてアーチ状に曲がっている、
請求項１又は２に記載の宝石保持具。
【請求項４】
前記台座部は、
前記宝石の前記下側部の頂点が嵌入する嵌入孔と、
前記嵌入孔の近傍を底部として前記下側部を囲むように凹状に湾曲した湾曲面と、
を備え、
前記下側部は、頂点の近傍に複数の前記ファセットが形成され、
前記嵌入孔は、前記下側部の頂点の近傍に形成された複数の前記ファセットの境界をなす稜線と嵌合する少なくとも１つの溝を有し、前記湾曲面から深くなるにつれて径が小さくなるように形成され、前記下側部の頂点に接する内壁が孔の中心に向かってテーパー状に傾いている、
請求項１乃至３の何れか一項に記載の宝石保持具。
【請求項５】
前記台座部は、前記湾曲面の底部の前記嵌入孔から離間するにつれて厚みを増す椀状に形成される、
請求項４に記載の宝石保持具。
【請求項６】
底面を共有する錐体状の上側部と錐体状の下側部を備え、前記上側部の側面及び前記下側部の側面にそれぞれ複数のファセットが形成され、前記上側部の頂点側に前記底面と平行な天面が形成された宝石と、
前記宝石を保持する請求項１乃至５の何れか一項に記載された宝石保持具と、
を有する装飾具。
【発明の詳細な説明】
【技術分野】
【０００１】
本発明は、ファセット・カットされた宝石を保持する宝石保持具と、宝石保持具によって宝石が保持された装飾具に関するものである。
【背景技術】
【０００２】
一般的な宝石保持具は複数の爪で宝石を固定しているが、宝石の面が複数の爪で隠れてしまうことによって輝きが減じてしまうという問題がある。これに対し、特許文献１に記載される宝石保持具は、ファセット・カットされた宝石のテーブル（天井部の平らな面）とクラウン（上部の側面）に当接する爪、パビリオン（下部の側面）に当接する当接部、及び、キューレット（下部の頂点）を支持する支持座を一体的に形成した構造を有している。この構造によって、複数の爪で固定するよりも宝石の面を露呈させつつ、宝石を確実に保持している。
【先行技術文献】
【特許文献】
【０００３】
【特許文献１】特許第３１８２６８３号公報明細書
【発明の概要】
【発明が解決しようとする課題】
【０００４】
ところが、上述した特許文献１に記載される宝石保持具では、宝石のクラウンに形成されたファセットに爪が当接しているため、クラウンのファセットの一部が爪によって隠れてしまう。宝石のクラウンに形成されるファセットは、宝石の上側に向かって放射状に光を反射させる面であることから、宝石の見た目にとってとりわけ重要であり、このファセットが爪で隠れてしまうと、見た目の輝きが減じてしまうという問題がある。
【０００５】
また、上述した特許文献１に記載される宝石保持具では、宝石のテーブルからクラウンにまたがって爪が当接していることから、クラウンのファセットとテーブル面とのなす角度に合わせて爪の２つの当接面を加工する必要がある。そのため、クラウンのファセットとテーブル面とのなす角度が宝石の種類ごとに異なる場合、同じ宝石保持具を流用することができなくなり、コストが高くなるという問題も生じる。
【０００６】
本発明はかかる事情に鑑みてなされたものであり、その目的は、宝石の輝きを減じ難くすることができる宝石保持具と、そのような宝石保持具を備えた装飾具を提供することにある。
【課題を解決するための手段】
【０００７】
本発明の第１の観点に係る宝石保持具は、底面を共有する錐体状の上側部と錐体状の下側部とを備え、前記上側部の側面及び前記下側部の側面にそれぞれ複数のファセットが形成され、前記上側部の頂点側に前記底面と平行な天面が形成された宝石を保持する宝石保持具であって、前記宝石の前記下側部の頂点部を支持する台座部と、前記上側部の前記天面に当接する上側爪部と、前記下側部の前記ファセットに当接する下側爪部とを有し、前記台座部、前記上側爪部及び前記下側爪部が一体に形成され、前記上側爪部と前記下側爪部とをつなぐ部分が前記上側部の前記ファセットから離隔する形状に形成され、前記上側爪部は、前記天面の中央部から縁部へ向かって線状若しくは帯状に延びた領域において前記天面と当接し、前記天面との当接部分に近いほど前記天面と平行な方向の厚みが薄くなる刃状の形状を有する。
【０００８】
好適に、前記上側爪部と前記天面とが当接する前記領域は、前記天面の縁部には及ばない前記天面の面内に含まれる。
好適に、前記上側爪部が前記上側部の前記天面に当接する部分と前記下側爪部が前記下側部の側面に当接する部分との間のつなぎ部分は、前記上側部の側面を避けるようにしてアーチ状に曲がっている。
【０００９】
好適に、前記台座部は、前記宝石の前記下側部の頂点が嵌入する嵌入孔と、前記嵌入孔の近傍を底部として前記下側部を囲むように凹状に湾曲した湾曲面と、を備える。
好適に、前記下側部は、頂点の近傍に複数の前記ファセットが形成され、前記嵌入孔は、前記下側部の頂点の近傍に形成された複数の前記ファセットの境界をなす稜線と嵌合する少なくとも１つの溝を有し、前記湾曲面から深くなるにつれて径が小さくなるように形成され、前記下側部の頂点に接する内壁が孔の中心に向かってテーパー状に傾いている。
【００１０】
好適に、前記台座部は、前記湾曲面の底部の前記嵌入孔から離間するにつれて厚みを増す椀状に形成される。
【００１１】
本発明の第２の観点に係る装飾具は、底面を共有する錐体状の上側部と錐体状の下側部を備え、前記上側部の側面及び前記下側部の側面にそれぞれ複数のファセットが形成され、前記上側部の頂点側に前記底面と平行な天面が形成された宝石と、前記宝石を保持する上記第１の観点に係る宝石保持具とを有する。
【発明の効果】
【００１２】
本発明によれば、宝石の上側部に当接する爪と下側部に当接する爪とをつなぐ部分が上側部のファセットから離隔しており、宝石の上側部のファセットが爪によって隠れない構造になっているため、宝石の輝きを減じ難くすることができる。
【図面の簡単な説明】
【００１３】
【図１】本発明の実施形態に係る装飾具の一例を示す正面図である。
【図２】本発明の実施形態に係る装飾具の一例を示す背面図である。
【図３】本発明の実施形態に係る装飾具の一例を示す側面図である。
【図４】本発明の実施形態に係る装飾具の一例を示す平面図である。
【図５】本発明の実施形態に係る装飾具の一例を示す底面図である。
【図６】本発明の実施形態に係る装飾具の一例を示す断面図である。
【図７】本発明の実施形態に係る装飾具の一例を示す斜視図である。
【図８】宝石のキューレットが嵌入する嵌入孔の一例を示す図である。
【発明を実施するための形態】
【００１４】
以下、本発明の一実施形態に係る装飾具について、図面を参照して説明する。
図１〜図７は、本実施形態に係る装飾具の外観の一例を示す図である。図１は正面図、図２は背面図、図３は右側面図、図４は平面図、図５は底面図、図７は斜視図である。また図６は、正面図のＡ−Ａ線における断面図である。
【００１５】
本実施形態に係る装飾具は、ファセットカットされた宝石１０と、この宝石１０を保持する宝石保持具２０とを有する。
宝石１０は、底面を共有する２つの錐体状の部分（クラウン１１、パビリオン１２）を備える。上側の錐体であるクラウン１１の側面と、下側の錐体であるパビリオン１２の側面には、それぞれ複数のファセット４，５が形成される。クラウン１１は、底面と平行な面によって頂点側を切り取られた形状になっており、その切断部分にファセットとしてのテーブル２が形成される。
ここで、クラウン１１は、本発明における上側部の一例である。
パビリオン１２は、本発明における下側部の一例である。
テーブル２は、本発明における天面の一例である。
【００１６】
宝石保持具２０は、パビリオン１２の尖った頂点部分であるキューレット６を支持する台座部２１と、クラウン１１のテーブル２に当接する上側爪部２２と、パビリオン１２の側面に形成されたファセット５に当接する下側爪部２３とを有する。
台座部２１は、本発明における台座部の一例である。
上側爪部２２は、本発明における上側爪部の一例である。
下側爪部２３は、本発明における下側爪部の一例である。
【００１７】
台座部２１は、お椀型の形状に形成されており、その椀形状の内側には湾曲面２６が設けられている。湾曲面２６は、パビリオン１２の頂点に近い部分を囲むようにして凹状に湾曲する。湾曲面２６の外縁を形成する台座部２１の縁部は、湾曲面２６の底部を宝石１０のテーブル２側から透視する方向より見た場合、ほぼ円形のリング状に形成される（図４）。また、台座部２１の縁部は、湾曲面２６の底部（最も底の部分）に対して、リング形状の略全周にわたって高さが均一になるように形成される（図１、図２）。
【００１８】
台座部２１は、湾曲面２６の底部から離間するにつれて厚みを増すように形成される（図６）。すなわち、湾曲面２６における台座部２１の厚さは底部において最も薄く、底部から縁部に向かって徐々に厚みが増す。具体的には、例えば底部における厚みが０．９ｍｍ程度、縁部における厚みが１．１ｍｍ程度であり、その中間部分の厚みは底部から縁部に向かって連続的に増える。
【００１９】
台座部２１の底部の略中央には、宝石１０のパビリオン１２のキューレット６が嵌入する嵌入孔２７が形成される（図６）。図５，図６の例において、嵌入孔２７は、台座部２１の内側の湾曲面２６から外側の面に向かって貫通している。なお、嵌入孔２７は、キューレット６を台座部２１の底部において支持できるものであればよいので、キューレット６を嵌入するのに十分に深さを確保できる場合は、台座部２１の外側の面に貫通しない凹状の形態でもよい。
【００２０】
図８は、嵌入孔２７の一例を示す図である。図８（Ａ）は湾曲面２６の側から見た図であり、図８（Ｂ）は断面図である。
嵌入孔２７は、例えば図８において示すように、キューレット６の稜線と嵌合する複数の溝２７１を有する。キューレット６の近傍には、複数のファセット５が形成されており、これらのファセット５の境界をなす複数の稜線が頂点から放射状に延びている（図５）。嵌入孔２７に形成された複数の溝２７１は、これらの稜線と嵌合する。
【００２１】
また、嵌入孔２７は、湾曲面２６から深くなるにつれて径が小さくなるように形成される。キューレット６と接する嵌入孔２７の内壁は、中心に向かってテーパー状に傾いている。
【００２２】
上側爪部２２は、テーブル２の中央部から縁部へ向かって線状若しくは帯状に延びた領域に当接する。上側爪部２２の上述した当接部分は、テーブル２の面内に含まれており、クラウン１１のファセット４には及んでいない。また図１の例において、上側爪部２２は、テーブル２との当接部分に近いほど厚み（図１における左右方向の厚み、すなわち、テーブル２の面と平行な方向における厚み）が薄くなる刃状の形状を有する。
【００２３】
下側爪部２３は、パビリオン１２の側面に形成される１つ若しくは複数のファセット５に当接しており、その当接部分はパビリオン１２の側面の範囲内に含まれる。すなわち、下側爪部２３の当接部分は、クラウン１１とパビリオン１２との境界をなす帯状領域（ガードル３）や、クラウン１１の側面まで及んでいない。
【００２４】
上側爪部２２とテーブル２との当接部分が線状若しくは帯状に延びる方向と、パビリオン１２の錐体形状の中心軸から下側爪部２３の当接部分へ向かう方向とは、ほぼ平行である。
【００２５】
上述した台座部２１、上側爪部２２及び下側爪部２３は、貴金属等の材料によって一体形成されており、上側爪部２２と下側爪部２３とをつなぐ部分２４は、クラウン１１のファセット４から適度な距離を空けて離隔する形状に形成される。図６の例では、上側爪部２２の当接部分と下側爪部２３の当接部分との間のつなぎ部分２４が、クラウン１１の側面を避けるようにしてアーチ状に曲がっている。
【００２６】
また、宝石保持具２０は、図示しないチェーンや紐、リングなどを貫通させて装飾具全体を吊り下げることができるようにするための環状部２５を有する。この環状部２５も、上述した台座部２１、上側爪部２２、下側爪部２３と一体形成される。
【００２７】
以上のような構成を有する宝石保持具２０によれば、テーブル２に当接する上側爪部２２とパビリオン１２のファセット５に当接する下側爪部２３とをつなぐ部分２４がクラウン１１のファセット４から適度な距離を隔てて離隔しており、クラウン１１の前面が爪によって隠れない構造となっている。そのため、宝石１０の上側のクラウン１１に形成されるファセット４の反射光を十分に周囲へ放射させることができ、宝石１０の輝きを減じ難くすることができる。
【００２８】
また、上述した宝石保持具２０によれば、宝石１０の上側に形成される平らなテーブル２を上側爪部２２によって押え、宝石１０の下側のキューレット６を台座部２１によって支持することにより、宝石１０の錐体形状の中心軸と平行な垂直方向において宝石１０を強固に挟み込むことができる。また、宝石１０のパビリオン１２のファセット５を下側爪部２３によって押えることによって、宝石１０の水平方向への動きを効果的に抑制することができ、宝石１０を確実に保持できる。
【００２９】
上述した宝石保持具２０によれば、椀形状の台座部２１における湾曲面２６の厚さが底部から縁部に向かって厚みを増すように形成されている。これにより、台座部２１の縁部に十分な厚みを持たせて所望の構造強度を保つことができるとともに、湾曲面２６の底の厚さをやや薄くして使用材料（貴金属等）の量を削減することができる。また、台座部２１の縁部から底部に向かって連続的に厚みが薄くなっていることから、上側爪部２２による垂直方向の押圧によって宝石１０のキューレット６が嵌入孔２７へ押し込まれた場合に、底面の領域で弾性的な変形が生じ易くなり、宝石１０の保持の緩みを効果的に抑制することができる。
【００３０】
更に、上述した宝石保持具２０によれば、椀状の台座部２１の湾曲面２６によってパビリオン１２の頂点に近い部分が囲まれていることにより、宝石１０の下側（パビリオン１２）の部分に物が直接当たり難くなる。そのため、この部分に物体が衝突等することによって台座部２１の嵌入孔２７から宝石１０のキューレット６が外れてしまうことを効果的に防止できる。
【００３１】
また、上述した宝石保持具２０によれば、台座部２１の湾曲面２６がパビリオン１２のファセット５から離間しているため、外光が湾曲面２６とパビリオン１２の間に回り込み易くなり、湾曲面２６で反射した光によってパビリオン１２のファセット５を輝かせることができる。
【００３２】
加えて、上述した宝石保持具２０によれば、キューレット６の近傍に形成されたファセット５の境界の稜線と嵌合する溝２７１が嵌入孔２７の内面に形成されているため、嵌入孔２７に嵌入した状態でキューレット６が回転することを防ぐことができる。これにより、宝石１０が物体に触れても回転し難くなるので、上側爪部２２や下側爪部２３の当接部のずれによる宝石１０の脱落を生じ難くすることができる。
【００３３】
また、上述した宝石保持具２０によれば、嵌入孔２７の内面がキューレット６に合わせてテーパー状に形成されており、キューレット６の稜線と溝２７１とを十分な長さで嵌合させることができるので、宝石１０をより回転し難くすることができる。
【００３４】
以上、本発明の一実施形態を説明したが、本発明は上記の形態にのみ限定されるものではなく、種々のバリエーションを含んでいる。
【００３５】
上述の実施形態において示した宝石１０のカットの態様は一例であり、本発明はこの態様に限定されるものではなく、他の種々の態様でカットされた宝石を保持する宝石保持具にも本発明は適用可能である。
【００３６】
また、上述の実施形態において示した台座部、上側爪部、下側爪部等の形状も一例であり、本発明はこれらの形態に限定されない。
【００３７】
本発明の宝石保持具において保持する宝石は１つのみに限定されておらず、複数の宝石を保持する宝石保持具にも本発明は適用可能である。
【符号の説明】
【００３８】
２…テーブル、３…ガードル、４，５…ファセット、６…キューレット、１０…宝石、１１…クラウン、１２…パビリオン、２０…宝石保持具、２１…台座部、２２…上側爪部、２３…下側爪部、２６…湾曲面、２７…嵌入孔、２７１…溝。
【要約】
【課題】宝石の輝きを減じ難くすることができる宝石保持具を提供する
【解決手段】テーブル２に当接する上側爪部２２とパビリオン１２のファセット５に当接する下側爪部２３とをつなぐ部分２４がクラウン１１のファセット４から適度な距離を隔てて離隔しており、クラウン１１の前面が爪によって隠れない構造となっている。そのため、宝石１０の上側のクラウン１１に形成されるファセット４の反射光を十分に周囲へ放射させることができ、宝石１０の輝きを減じ難くすることができる。
【選択図】図６【図１】
0005162700.tif 000002
【図２】
0005162700.tif 000003
【図３】
0005162700.tif 000004
【図４】
0005162700.tif 000005
【図５】
0005162700.tif 000006
【図６】
0005162700.tif 000007
【図７】
0005162700.tif 000008
【図８】
0005162700.tif 000009